(57)【要約】【課題】除細動機能を有する多重巻き線構造のカテーテルにおいて、柔軟性を確保しつつ、外周面に段差が生じるのを抑制する。【解決手段】除細動用電圧が印加される高圧電線１１を少なくとも２本含む複数の線１０を可撓性管状体２ａに巻き付けて構成した除細動機能を有するカテーテル１であって、高圧電線１１の間に配置されることにより高圧電線１１同士が直接的に接触することを防ぐ介在線２０を備える。【選択図】図１
2019063533.tif 000002
【特許請求の範囲】
【請求項１】
除細動用電圧が印加される少なくとも２本の高圧電線を含む複数の線を可撓性管状体に巻き付けて構成したカテーテルであって、
前記複数の線は、前記高圧電線の間に配置される介在線を含む、カテーテル。
【請求項２】
除細動用電圧が印加される少なくとも２本の高圧電線を含む複数の線と、可撓性管状体と、を備えるカテーテルであって、
前記可撓性管状体の外周面には、所定の深さを有する溝が螺旋状に設けられており、
前記複数の線は、前記高圧電線の間に配置される介在線を含み、前記溝に埋設されている、カテーテル。
【請求項３】
除細動用電圧が印加される１本の高圧電線と接地線とを含む複数の線を可撓性管状体に巻き付けて構成したカテーテルであって、
前記複数の線は、前記高圧電線と前記接地線の間に配置される介在線を含む、カテーテル。
【請求項４】
除細動用電圧が印加される１本の高圧電線と接地線とを含む複数の線と、可撓性管状体と、を備えるカテーテルであって、
前記可撓性管状体の外周面には、所定の深さを有する溝が螺旋状に設けられており、
前記複数の線は、前記高圧電線と前記接地線の間に配置される介在線を含み、前記溝に埋設されている、カテーテル。
【請求項５】
前記介在線は、樹脂材料からなる絶縁線である、請求項１から４の何れか一項に記載のカテーテル。
【請求項６】
前記絶縁線の径は、他の線の径と同一である、請求項５に記載のカテーテル。
【請求項７】
前記介在線は、電源に接続されていない無接続電線である、請求項１から４の何れか一項に記載のカテーテル。
【請求項８】
前記無接続電線の径は、他の線の径と同一である、請求項７に記載のカテーテル。
【請求項９】
前記介在線は、信号を検出するための信号検出線である、請求項１から４の何れか一項に記載のカテーテル。
【請求項１０】
前記信号検出線の径は、他の線の径と同一である、請求項９に記載のカテーテル。
【請求項１１】
前記介在線は、前記除細動用電圧の中間電位に設定される中圧電線である、請求項１から４の何れか一項に記載のカテーテル。
【請求項１２】
前記中圧電線は、隣接する前記高圧電圧が断線した場合に、除細動用電圧が印加される高圧電線として使用可能である、請求項１１に記載のカテーテル。
【請求項１３】
前記中圧電線の径は、他の線の径と同一である、請求項１１又は１２に記載のカテーテル。
【発明の詳細な説明】
【技術分野】
【０００１】
本発明は、カテーテルに関する。
【背景技術】
【０００２】
従来より、ヒトや動物の血管内に挿入されるカテーテルが使用されている。現在においては、可撓性管状体の周囲に複数の線を巻き付けて構成した多重巻き線構造のカテーテルが提案され、実用化されている（例えば、特許文献１参照）。
【０００３】
多重巻き線構造を有するカテーテルにおいては、各線に絶縁層を形成することにより絶縁を実現させているが、カテーテル全体の太さを考慮すると、絶縁層は必要最小限に薄くする必要がある。カテーテルの末端側に配置される電極によって生体からの信号を検出する場合には、生体から発生する細胞電位が−７０ｍＶから３０ｍＶであることから、絶縁層は薄くても問題はない。
【０００４】
一方、カテーテルを用いて生体へと電気パルス信号を提供する場合には、比較的高い電圧（例えば心房細動をサイナスリズムへ復帰させる場合には±４００Ｖ）のパルス電圧を加える必要がある（例えば、非特許文献１及び２参照）。その際、薄い絶縁層では絶縁耐圧が不足するため、図１２に示すように、除細動用電圧（例えば±４００Ｖ）を加える電線１００に厚い絶縁層１１０を設ける必要がある。
【先行技術文献】
【特許文献】
【０００５】
【特許文献１】特許第６１４４８２４号公報
【非特許文献１】S Mark Sopher、外６名、「Low energy internal cardioversion of atrial fibrillation resistant to transthoracic shocks」、Heart (1996)、第７５号、p635-638、インターネット<URL: http://heart.bmj.com/content/75/6/635>
【非特許文献２】E Alt、外５名、「Efficacy of a new balloon catheter for internal cardioversion of chronic atrial fibrillation without anaesthesia」、Heart (1998)、第７９号、p128-132
【発明の概要】
【発明が解決しようとする課題】
【０００６】
ところが、図１２に示すように、厚い絶縁層１１０を設けた除細動用の電線１００は他の電線２００よりも径が大きくなる（すなわち太くなる）ため、柔軟性が損なわれてしまう。そうすると、このような太い電線１００を巻いたカテーテルもまた柔軟性を欠いたものとなるため、カテーテルを複雑な血管形状に追従させることが困難になる虞がある。また、太さが違う電線１００・２００を巻くことで、カテーテルの外周面に段差Ｓ（凹凸）が生じてしまうことから、カテーテルを血管内に挿入する際にこの段差Ｓが血管の内壁に引っ掛かったり、電線１００・２００にほつれが生じたりする虞があった。
【０００７】
本発明は、かかる事情に鑑みてなされたものであり、除細動機能を有する多重巻き線構造のカテーテルにおいて、柔軟性を確保しつつ、外周面に段差が生じるのを抑制することを目的とする。
【課題を解決するための手段】
【０００８】
前記目的を達成するため、本発明に係る第一のカテーテルは、除細動用電圧が印加される少なくとも２本の高圧電線を含む複数の線を可撓性管状体に巻き付けて構成したカテーテルであって、複数の線は、高圧電線の間に配置される介在線を含むものである。また、本発明に係る第二のカテーテルは、除細動用電圧が印加される少なくとも２本の高圧電線を含む複数の線と、可撓性管状体と、を備えるカテーテルであって、可撓性管状体の外周面には、所定の深さを有する溝が螺旋状に設けられており、複数の線は、高圧電線の間に配置される介在線を含み、溝に埋設されているものである。また、本発明に係る第三のカテーテルは、除細動用電圧が印加される１本の高圧電線と接地線とを含む複数の線を可撓性管状体に巻き付けて構成したカテーテルであって、複数の線は、高圧電線と接地線の間に配置される介在線を含むものである。また、本発明に係る第四のカテーテルは、除細動用電圧が印加される１本の高圧電線と接地線とを含む複数の線と、可撓性管状体と、を備えるカテーテルであって、可撓性管状体の外周面には、所定の深さを有する溝が螺旋状に設けられており、複数の線は、高圧電線と接地線の間に配置される介在線を含み、溝に埋設されているものである。
【０００９】
かかる構成を採用すると、除細動用電圧（例えば±４００Ｖ）が印加される高圧電線の間に介在線が配置されることにより、高圧電線同士が直接的に接触することを防ぐことができる。従って、絶縁耐圧を上げるために高圧電線の絶縁層を厚くする必要がなくなるため、カテーテルの柔軟性を確保することができる。また、高圧電線の径を、他の線の径に近付ける（又は他の線の径と同一にする）ことができるので、カテーテルの外周面に段差（凹凸）が生じるのを抑制することができる。
【００１０】
本発明に係るカテーテルにおいて、樹脂材料からなる絶縁線を介在線として採用することができる。
【００１１】
かかる構成を採用すると、樹脂材料からなる絶縁線を介在線として高圧電線の間に配置しているため、高圧電線同士を効果的に絶縁することができる。
【００１２】
本発明に係るカテーテルにおいて、電源に接続されていない無接続電線を介在線として採用することができる。
【００１３】
かかる構成を採用すると、電源に接続されていない無接続電線を介在線として利用しているため、絶縁線を別途調製する必要がない。
【００１４】
本発明に係るカテーテルにおいて、信号を検出するための信号検出線を介在線として採用することができる。
【００１５】
かかる構成を採用すると、信号を検出するための信号検出線を介在線として有効利用しているため、絶縁線を別途調製する必要がない。
【００１６】
本発明に係るカテーテルにおいて、除細動用電圧の中間電位に設定される中圧電線を介在線として採用することができる。
【００１７】
かかる構成を採用すると、除細動用電圧の中間電位に設定される中圧電線を介在線として高圧電線の間に配置しているため、高圧電線の絶縁耐圧を半分にすることができる。
【００１８】
本発明に係るカテーテルにおいて、中圧電線に隣接する高圧電圧が断線した場合に、除細動用電圧が印加される高圧電線として中圧電線を使用することができる。
【００１９】
かかる構成を採用すると、中圧電線に隣接する高圧電圧が断線した場合においても、中圧電線に除細動用電圧を印加する（中圧電線を高圧電線として機能させる）ことができる。
【００２０】
本発明に係るカテーテルにおいて、介在線として採用される絶縁線、無接続電線、信号検出線又は中圧電線の径を、他の線の径と同一にすることができる。
【００２１】
かかる構成を採用すると、介在線として採用される絶縁線、無接続電線、信号検出線又は中圧電線の径を、他の線の径と同一にするため、カテーテルの外周面に段差（凹凸）が生じることを抑制することができる。
【発明の効果】
【００２２】
本発明によれば、除細動機能を有する多重巻き線構造のカテーテルにおいて、柔軟性を確保しつつ、外周面に段差が生じるのを抑制することが可能となる。
【図面の簡単な説明】
【００２３】
【図１】本発明の第一実施形態に係るカテーテルの全体構成を説明するための構成図である。
【図２】本発明の第一実施形態に係るカテーテルのチューブの構成を説明するための拡大側面図（部分断面図を含む）である。
【図３】本発明の第一実施形態に係るカテーテルの電極配置を説明するための説明図（図１のIII部分の拡大図）である。
【図４】心電信号検出用の差動増幅回路を示す図である。
【図５】バイフェージック出力回路を示す図である。
【図６】図３に示す電極配置において出力端子からパルス信号を出力した際に入力端子で検出された信号波形を示す図である。
【図７】カテーテルの電極配置の他の例を示す拡大図である。
【図８】図７に示す電極配置において出力端子からパルス信号を出力した際に入力端子で検出された信号波形を示す図である。
【図９】本発明の第一実施形態に係るカテーテルの電極配置の他の例を説明するための拡大図である。
【図１０】本発明の第二実施形態に係るカテーテルのチューブの構成を説明するための斜視図（部分断面図を含む）である。
【図１１】本発明の第二実施形態に係るカテーテルのチューブの断面図である。
【図１２】従来の除細動機能を有する多重巻き線構造のカテーテルの構成を説明するための拡大側面図（一部断面図を含む）である。
【発明を実施するための形態】
【００２４】
以下、図面を参照して、本発明の各実施形態について説明する。なお、以下の各実施形態はあくまでも好適な適用例であって、本発明の適用範囲がこれに限定されるものではない。
【００２５】
＜第一実施形態＞
まず、図１〜図９を用いて、本発明の第一実施形態に係るカテーテル１の構成について説明する。本実施形態に係るカテーテル１は、除細動機能を有するものであって、図１に示すように、多重巻き線構造を有するチューブ２と、チューブ２に連結されたハンドル３と、チューブ２の外周に設けられた第１ＤＣ電極群４０及び第２ＤＣ電極群５０と、を備えている。
【００２６】
チューブ２は、図２に示すように、可撓性管状体２ａと、可撓性管状体２ａの外周に螺旋状に巻き付けられる複数の線（電線１０及び絶縁線２０）と、を有している。可撓性管状体２ａは、非導電性材料（例えば、ポリテトラフルオロエチレン等の樹脂材料）で構成された可撓性を有する管状の部材であり、その内部には図示されていない内腔が形成されている。
【００２７】
可撓性管状体２ａの外周に螺旋状に巻き付けられる電線１０には、図２に示すように、除細動用電圧（例えば±４００Ｖ）が印加される高圧電線１１が少なくとも２本含まれている。本実施形態においては、高圧電線１１の直径を、他の電線１０の直径と同一に設定している。電線１０（高圧電線１１を含む）の外周には、ポリエステルイミドやポリアミドイミド等の樹脂材料からなる絶縁膜１０ａ（１１ａ）が形成されている。電線１０（高圧電線１１を含む）の径や絶縁膜１０ａ（１１ａ）の厚さは、カテーテル１の仕様等に応じて適宜設定することができる。例えば、電線１０（高圧電線１１）の直径を０．２４ｍｍに設定した場合には、絶縁膜１０ａ（１１ａ）の厚さを０．０１７ｍｍに設定することができる。
【００２８】
可撓性管状体２ａの外周に螺旋状に巻き付けられる絶縁線２０は、図２に示すように、２本の高圧電線１１の間に配置されることにより高圧電線１１同士が直接的に接触することを防ぐものであり、本発明における介在線として機能する。絶縁線２０は、ナイロンやポリウレタン等の樹脂材料から構成されており、その径は、電線１０の径と同一に設定されている。なお、本実施形態においては、図２に示すように、高圧電線１１と他の電線１０の間にも絶縁線２０を配置して、高圧電線１１と他の電線１０とが直接的に接触することを防いでいる。
【００２９】
ハンドル３は、図１に示すように、コネクタ４を介してチューブ２の近位端に取外し可能に連結されており、チューブ２の遠位端を折り曲げるように操縦するための図示されていないスタイレット等の操縦要素を収納するように構成されている。操縦要素は、チューブ２を構成する可撓性管状体２ａの内腔内に収納される。
【００３０】
第１ＤＣ電極群４０及び第２ＤＣ電極群５０は、ヒト又は動物の心臓内部において、心房を挟む位置に配置される。第１ＤＣ電極群４０及び第２ＤＣ電極群５０は、図１に示すように、いずれも複数の電極４１から構成されており、心房を挟む位置に配置された際に、除細動用のエネルギが一箇所に集中しないようにしている。
【００３１】
ここで、図３〜図９を用いて、第１ＤＣ電極群４０の電極配置について説明する。なお、第２ＤＣ電極群５０の電極配置は、第１ＤＣ電極群４０の電極配置と同様であるので説明を省略する。
【００３２】
第１ＤＣ電極群４０は、図３に示すように、複数のリング状電極４１を有している。複数のリング状電極４１のうち一部は、除細動用のエネルギを加えるために使用され、複数のリング状電極４１のうち残りは、心臓内部の心電信号を検出するための入力端子（例えば第一入力端子４２ａ及び第二入力端子４２ｂ）及び出力端子（例えば第一出力端子４３ａ及び第二出力端子４３ｂ）として使用される。
【００３３】
本実施形態においては、図４に示すような差動増幅回路を使用して心電信号を検出することとしている。このため、第一入力端子４２ａと第二入力端子４２ｂの間に大きな電位変化が生じると、回路内に過大な入力が印可され、回路が飽和したり破損等が生じたりする可能性があるため、保護回路等が考慮されている。しかし、回路内に過大な入力が一度印可されると、第一入力端子４２ａと第二入力端子４２ｂの間の電位が過大入力前の状態になるまでの間、正しく心電信号を検出することはできない。
【００３４】
そこで、本実施形態においては、図３に示すように第一入力端子４２ａと第二入力端子４２ｂとを隣接させるようにし、第一入力端子４２ａと第二入力端子４２ｂの間に除細動用のリング状電極４１を配置しないようすることにより、確実に心電信号を検出することを可能としている。図６は、図５に示すようなバイフェージック出力回路を用いて、第一出力端子４３ａ及び第二出力端子４３ｂからパルス信号を出力した際の第一入力端子４２ａと第二入力端子４２ｂの間に検出された信号波形を示したものである。図６に示されるように、バイフェージックの信号波形が正しく検出されていることがわかる。
【００３５】
なお、図７に示すように、第一入力端子４２ａと第二入力端子４２ｂの間に第二出力端子４３ｂを配置した場合には、図８に示すような信号波形が検出される。この例では、検出電極（入力端子４２ａ、４２ｂ）に出力信号の影響が入り、リンギング等のノイズが発生し、バイフェージックの信号波形が正しく検出されないことがわかる。このため、二つの入力端子４２ａ、４２ｂの間に出力端子４３ｂを配置する（図７）のではなく、二つの入力端子４２ａ、４２ｂを隣接させる（図３）ことが好ましい。なお、図９に示すように、二つの入力端子４２ａ、４２ｂの間に回路上のリファレンス端子（接地端子）４４を配置すると、出力端子４３ａ、４３ｂからの干渉を抑制することができる。
【００３６】
次に、本実施形態に係るカテーテル１の使用方法について説明する。
【００３７】
まず、カテーテル１のチューブ２をヒト又は動物の血管に挿入し、チューブ２の外周に設けられた第１ＤＣ電極群４０及び第２ＤＣ電極群５０を心臓内部に到達させ、これら第１ＤＣ電極群４０及び第２ＤＣ電極群５０を、心房を挟む位置に配置する。次いで、これら電極群４０・５０の各入力端子及び各出力端子を用いて、心臓内部の心電信号を検出する。また、状況に応じて、電極群４０・５０に設けられた除細動用のリング状電極４１を用いて心臓に除細動用電圧を加える。このように、本実施形態に係るカテーテル１は、心臓内部の心電信号をモニタリングしつつ除細動機能を果たすものである。
【００３８】
以上説明した実施形態に係るカテーテル１においては、除細動用電圧（例えば±４００Ｖ）が印加される高圧電線１１の間に絶縁線（介在線）２０が配置されることにより、高圧電線１１同士が直接的に接触することを防ぐことができる。従って、絶縁耐圧を上げるために高圧電線１１の絶縁層１１ａを厚くする必要がなくなるため、カテーテル１の柔軟性を確保することができる。また、高圧電線１１の径を、他の電線１０の径と同一にすることができるので、カテーテル１の外周面に段差（凹凸）が生じるのを抑制することができる。
【００３９】
また、以上説明した実施形態に係るカテーテル１においては、樹脂材料からなる絶縁線２０を介在線として高圧電線１１の間に配置しているため、高圧電線１１同士を効果的に絶縁することができる。
【００４０】
＜第二実施形態＞
次いで、図１０等を用いて、本発明の第二実施形態に係るカテーテルの構成について説明する。本実施形態に係るカテーテルは、第一実施形態に係るカテーテル１におけるチューブ２の構成を変更したものであり、その他の構成については第一実施形態と実質的に共通である。このため、第一実施形態と異なる構成を中心に説明し、第一実施形態と共通する構成については同一の符号を付して詳細な説明を省略することとする。
【００４１】
本実施形態に係るカテーテルは、第一実施形態と同様に除細動機能を有するものであって、図１０に示すようなチューブ２Ａを備えている。チューブ２Ａには、第一実施形態と同様のハンドル３（図１参照）が連結されており、チューブ２Ａの外周には、第一実施形態と同様の第１ＤＣ電極群４０及び第２ＤＣ電極群５０（図１参照）が設けられている。ハンドル３、第１ＤＣ電極群４０及び第２ＤＣ電極群５０については、第一実施形態と同様であるので詳細な説明を省略する。
【００４２】
チューブ２Ａは、図１０及び図１１に示すように、可撓性管状体２Ａａと、複数の線（電線１０及び絶縁線２０）と、を有している。可撓性管状体２Ａａは、第一実施形態と同様に非導電性材料で構成された可撓性を有する管状の部材であり、その内部には、図１１に示すように内腔２Ａｂが形成されている。可撓性管状体２Ａａの外周面には、図１０及び図１１に示すように所定の深さを有する溝２Ａｃが螺旋状に設けられている。溝２Ａｃには、図１０及び図１１に示すように、複数の線（電線１０及び絶縁線２０）が埋設される。このため、溝２Ａｃの深さは、電線１０（絶縁線２０）の直径と略同一の寸法に設定されている。
【００４３】
本実施形態における可撓性管状体２Ａａの内腔２Ａｂの内部には、図１１に示すように、可撓性管状体２Ａａの内周面を被覆して形状を維持するためのブレード２Ａｄが設けられている。ブレード２Ａｄは、金属等の材料で構成することができる。また、本実施形態における可撓性管状体２Ａａの外側（溝２Ａｃに埋設された電線１０及び絶縁線２０の外側）は、図１０及び図１１に示すように、非導電性材料から構成される外皮２Ａｅで被覆される。
【００４４】
電線１０は、第一実施形態におけるものと同様である。すなわち、電線１０には、除細動用電圧（例えば±４００Ｖ）が印加される高圧電線１１が少なくとも２本含まれている。高圧電線１１の直径は他の電線１０の直径と同一にされており、電線１０（高圧電線１１を含む）の外周には絶縁膜が形成されている。電線１０（高圧電線１１を含む）の径や絶縁膜の厚さは、カテーテルの仕様等に応じて適宜設定することができる。絶縁線２０は、第一実施形態におけるものと同様である。すなわち、絶縁線２０は、２本の高圧電線１１の間に配置されることにより高圧電線１１同士が直接的に接触することを防ぐものであり、本発明における介在線として機能する。絶縁線２０は樹脂材料から構成されており、その径は電線１０の径と同一に設定されている。
【００４５】
以上説明した実施形態に係るカテーテルにおいては、除細動用電圧（例えば±４００Ｖ）が印加される高圧電線１１の間に絶縁線（介在線）２０が配置されることにより、高圧電線１１同士が直接的に接触することを防ぐことができる。従って、絶縁耐圧を上げるために高圧電線１１の絶縁層を厚くする必要がなくなるため、カテーテルの柔軟性を確保することができる。また、高圧電線１１の径を、他の電線１０の径と同一にすることができるので、カテーテルの外周面に段差（凹凸）が生じるのを抑制することができる。
【００４６】
また、以上説明した実施形態に係るカテーテルにおいては、樹脂材料からなる絶縁線２０を介在線として高圧電線１１の間に配置しているため、高圧電線１１同士を効果的に絶縁することができる。
【００４７】
なお、以上の各実施形態においては、高圧電線１１間に配置される介在線として、樹脂材料からなる絶縁線２０を採用した例を示したが、介在線として他の線を採用することもできる。例えば、介在線として、電源に接続されていない無接続電線を採用することができる。このように電源に接続されていない無接続電線を介在線として利用すると、絶縁線を別途調製する必要がない。この際、無接続電線の径を他の線の径と同一に設定すると、カテーテル１の外周面に段差（凹凸）が生じることを抑制することができるため好ましい。
【００４８】
また、介在線として、信号を検出するための信号検出線を採用することもできる。このように信号を検出するための信号検出線を介在線として有効利用すると、絶縁線を別途調製する必要がない。この際、信号検出線の径を他の線の径と同一に設定すると、カテーテル１の外周面に段差（凹凸）が生じることを抑制することができるため好ましい。なお、介在線として信号検出線を利用する場合には、高圧電線１１への除細動電圧の印加と、信号検出線への電圧の印加と、を同時に行うことはない。
【００４９】
また、介在線として、除細動用電圧の中間電位に設定される中圧電線を採用することができる。このように除細動用電圧の中間電位に設定される中圧電線を介在線として高圧電線１１の間に配置すると、高圧電線１１の絶縁耐圧を半分にすることができる。この際、中圧電線の径を他の線の径と同一に設定すると、カテーテル１の外周面に段差（凹凸）が生じることを抑制することができるため好ましい。また、中圧電線に隣接する高圧電線１１のうち何れか一方が断線した場合に、除細動用電圧が印加される高圧電線１１として中圧電線を使用することができる。
【００５０】
また、以上の各実施形態においては、±４００Ｖの除細動用電圧が印加される２本の高圧電線１１を採用した例を示したが、このような２本の高圧電線１１に代えて、８００Ｖの除細動用電圧が印加される１本の高圧電線と、接地線と、を採用することもできる。かかる場合には、１本の高圧電線と接地線の間に介在線（例えば絶縁線２０）を配置し、高圧電線に介在線を接触させるようにする。このようにすると、絶縁耐圧を上げるために高圧電線の絶縁層を厚くする必要がなくなるとともに、高圧電線の径を他の電線の径と同一にすることができるので、カテーテルの柔軟性を確保することができるとともに、カテーテルの外周面に段差（凹凸）が生じるのを抑制することができる。
【００５１】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００５２】
１…カテーテル
２ａ・２Ａａ…可撓性管状体
２Ａｃ…溝
１０…電線
１１…高圧電線
２０…絶縁線（介在線）
【図１】
2019063533.tif 000003
【図２】
2019063533.tif 000004
【図３】
2019063533.tif 000005
【図４】
2019063533.tif 000006
【図５】
2019063533.tif 000007
【図６】
2019063533.tif 000008
【図７】
2019063533.tif 000009
【図８】
2019063533.tif 000010
【図９】
2019063533.tif 000011
【図１０】
2019063533.tif 000012
【図１１】
2019063533.tif 000013
【図１２】
2019063533.tif 000014